(57)【要約】【課題】同じ設定でのコピーを使用する頻度が少ないユーザや、逆に設定を常に残しておきたいユーザにとってはジョブ終了時に選択画面が表示されるのは煩わしいという課題がある。【解決手段】印刷設定を保持する保持手段（１０２、１０３）と、第１の印刷処理を実行するために用いた第１の印刷設定を、第２の印刷処理を実行するための印刷設定として用いるかをユーザに問い合わせるための確認画面を表示手段に表示させる表示制御手段（４０３）と、印刷処理の実行に応じて前記確認画面を表示させるか否かの設定を受け付ける受付手段と（４０７）、を有することを特徴とする画像形成装置。【選択図】図４
2017118211.tif 000002
【特許請求の範囲】
【請求項１】
印刷設定を保持する保持手段（１０２、１０３）と、
第１の印刷処理を実行するために用いた第１の印刷設定を、第２の印刷処理を実行するための印刷設定として用いるかをユーザに問い合わせるための確認画面を表示手段に表示させる表示制御手段（４０３）と、
印刷処理の実行に応じて前記確認画面を表示させるか否かの設定を受け付ける受付手段と（４０７）、
を有することを特徴とする画像形成装置。
【請求項２】
前記確認画面を表示させる設定を受け付けた場合に、前記第１の印刷処理の実行に応じて表示した前記確認画面に対してユーザが入力した内容を、前記第１の印刷処理の後に実行される第２の印刷処理にも適用するか否かを示す第２の確認画面の確認画面を表示させること（３０１、７０１）を特徴とする請求項１に記載の画像形成装置。
【請求項３】
画像形成装置の制御方法であって、
印刷設定を保持手段に保持する保持ステップと、
第１の印刷処理を実行するために用いた第１の印刷設定を、第２の印刷処理を実行するための印刷設定として用いるかをユーザに問い合わせるための確認画面を表示手段に表示させる表示制御ステップと、
印刷処理の実行に応じて前記確認画面を表示させるか否かの設定を受け付ける受付ステップと、
を有することを特徴とする制御方法。
【請求項４】
コンピュータに、
印刷設定を保持手段に保持する保持手順と、
第１の印刷処理を実行するために用いた第１の印刷設定を、第２の印刷処理を実行するための印刷設定として用いるかをユーザに問い合わせるための確認画面を表示手段に表示させる表示制御手順と、
印刷処理の実行に応じて前記確認画面を表示させるか否かの設定を受け付ける受付手順と、
を実行させるためのプログラム。
【発明の詳細な説明】
【技術分野】
【０００１】
本発明は、複合機における設定値の制御に関する。
【背景技術】
【０００２】
課金装置が接続された画像処理装置では不特定多数のユーザが操作をするケースが多い。ジョブ終了ごとに初期設定に戻したいユーザと、引き続き同じ設定で実行したいユーザが混在しているため、ジョブ終了時に、前回と同じ設定を保持するか、それまでに設定されていた機能を初期設定に戻すか、をユーザに選択させるための選択画面を表示していた。
【０００３】
特許文献１には、予め複合機に登録されている印刷設定を用いて印刷するかをユーザに問い合わせることが記載されている。
【先行技術文献】
【特許文献】
【０００４】
【特許文献１】特開２０１３−２１８５４３号公報
【発明の概要】
【発明が解決しようとする課題】
【０００５】
同じ設定でのコピーを使用する頻度が少ないユーザや、逆に設定を常に残しておきたいユーザにとってはジョブ終了時に毎回選択画面が表示されるのはとても煩わしいという課題がある。
【課題を解決するための手段】
【０００６】
上記の課題を解決するために、本発明に係る画像形成装置は、
印刷設定を保持する保持手段（１０２、１０３）と、
第１の印刷処理を実行するために用いた第１の印刷設定を、第２の印刷処理を実行するための印刷設定として用いるかをユーザに問い合わせるための確認画面を表示手段に表示させる表示制御手段（４０３）と、
印刷処理の実行に応じて前記確認画面を表示させるか否かの設定を受け付ける受付手段と（４０７）、
を有することを特徴とする。
【発明の効果】
【０００７】
本発明に係る画像形成装置によれば、そのユーザのニーズに合わせた制御が可能となるので利便性の向上が見込まれる。
【図面の簡単な説明】
【０００８】
【図１】画像処理装置１００および課金装置１１０のハードウェア構成図である。
【図２】操作パネル１０６に表示される印刷終了画面表示設定画面の一例である。
【図３】操作パネル１０６に表示される印刷終了画面の一例である。
【図４】画像処理装置１００で実行される処理手順を示すフローチャートの一例である。
【図５】画像処理装置１００で実行される処理手順を示すフローチャートの一例である。
【図６】画像処理装置１００で実行される処理手順を示すフローチャートの一例である。
【図７】操作パネル１０６に表示されるコピー設定画面の一例である。
【図８】画像処理装置１００で実行される処理手順を示すフローチャートの一例である。
【図９】画像処理装置１００で及び課金装置１１０で実行される処理手順を示すフローチャートの一例である。
【発明を実施するための形態】
【０００９】
以下、本発明を実施するための形態について図面を用いて説明する。
【００１０】
図１は本発明の一実施の形態に係る画像処理装置１００および課金装置１１０のハードウェア構成図である。
【００１１】
ＣＰＵ１０１、メモリ１０２、補助記憶装置１０３、スキャナ装置１０４、印刷装置１０５、操作パネル１０６、インターフェース１０７が内部バス１０８によって接続されている。ＣＰＵ１０１は、プログラムの実行やさまざまな処理の制御を行う。
【００１２】
メモリ１０２は、ＲＡＭとＲＯＭから構成され、プログラム、データの格納場所として利用される。補助記憶装置１０３は、ハードディスク等の大容量記憶装置から構成され、大容量データの保管、プログラムの実行コードの保持を行う。前記メモリ１０２と比較して、長時間保持する必要があるデータを記憶する。
【００１３】
スキャナ装置１０４は、紙原稿の光学的なスキャンを行う。印刷装置１０５は、トナーを利用してデジタルデータを紙媒体に印刷する。操作パネル１０６は、ユーザに対する情報の提供や、ユーザからの指示の入力を行う。インターフェース１０８は、コネクタ１０９を介して課金装置１１０内のインターフェース１１と接続されている。ＣＰＵ１１２は、プログラムの実行やさまざまな処理の制御を行う。
【００１４】
図２は操作パネル１０６に表示される印刷終了画面表示設定画面の一例である。
【００１５】
印刷終了画面表示設定画面２００では、印刷終了時の画面表示の動作を事前に設定することができる（ボタン群２０１）。
【００１６】
「非表示」は、選択画面を表示しないモードである。印刷終了画面が表示されないため、印刷終了時の動作をボタン群２０２より選択することができる。「初期値に戻す」を選択した場合は、印刷終了時に設定は初期値に戻される。「設定保持」を選択した場合は、印刷終了時も設定が保持される。
【００１７】
「都度確認」が選択された場合の画面について図３を用いて説明する。図３は操作パネル１０６に表示される印刷終了画面の一例である。
【００１８】
印刷終了画面３００ではジョブ終了時に機能設定を保持する「はい」ボタン３０２と、それまでに設定されていた機能をすべてリセットする「いいえ」ボタン３０３の他に「以後表示しない」チェックボックス３０１が表示される。「以後表示しない」にチェックが入っている状態で「はい」ボタン３０２が選択されると、以降はジョブ終了しても機能設定を保持し続ける。「いいえ」ボタン３０３が選択されるとジョブ終了ごとに設定をリセットする。チェックボックスにチェックが入っていない場合は、印刷終了の度に印刷終了画面３００が表示される。
【００１９】
「表示」は、ジョブ終了時に機能設定を保持するか、それまでに設定されていた機能をすべてリセットするかの選択画面を必ず表示するモードである。図３の印刷終了画面３００の一例を用いて説明すると、ジョブ終了時に機能設定を保持する「はい」ボタン３０２と、それまでに設定されていた機能をすべてリセットする「いいえ」ボタン３０３が表示され、「以後表示しない」チェックボックス３０１が表示されていない印刷終了画面３００が表示される。
【００２０】
図２の印刷終了画面表示設定画面２００に戻り、「ＯＫ」ボタン２０３を押下した際の動作について図８のフロー図を用いて説明する。この処理は画面処理装置１００のＣＰＵ１０１により実行される。
【００２１】
まずステップ８０１にて印刷終了画面表示設定画面２００にて選択された設定を確認する。「非表示」であればステップ８０２にて後述する非表示フラグをＯＮにして処理を終了する。ステップ８０１にて非表示以外の「表示」「都度確認」が選択された場合は非表示フラグをＯＦＦにして処理を終了する。
【００２２】
印刷ジョブ終了時の一連の流れについて図４のフロー図を用いて説明する。この処理は画像処理装置１００のＣＰＵ１０１により実行される。
【００２３】
ステップ４０１にて印刷ジョブが終了したかどうか判断する。印刷ジョブが終了した場合は、図２で示した印刷終了画面表示設定が「表示」「非表示」「確認」のどの設定になっているかを確認する（ステップ４０２）。「表示」が選択されている場合は、ステップ４０３にて印刷終了画面３００を表示する。ステップ４０４では印刷終了画面３００のまま一定時間が経過したかどうか判断する。
【００２４】
一定時間が経過している場合は、ステップ４０５へ進み、印刷終了画面３００を閉じ初期化処理を行う。初期化処理では、印刷設定を初期値へ戻す、非表示フラグを図８で説明した初期値に戻す、課金装置の返金処理といった一連の処理を行う。
【００２５】
ステップ４０４にて一定時間が経過していない状態で、印刷終了画面３００への入力があった場合はステップ４０６からステップ４０７へ進み入力の内容を確認する。「同じ設定でもう一度実行しますか」に対し「いいえ」が選択された場合、ステップ４０８へ進み印刷終了後の動作設定に「初期値に戻す」を設定し、ステップ４０９で印刷終了画面３００を閉じ初期値に戻して終了する。「はい」が選択された場合、ステップ４１０へ進み印刷終了後の動作設定に「設定保持」を設定し、ステップ４１１にて印刷終了画面３００を閉じる。ユーザ操作がないまま一定時間が経過した場合（ステップ４１２）、ステップ４１３へ進み初期化処理を行う。
【００２６】
ステップ４０２にて「非表示」が選択されている場合、ステップ４１４にて印刷終了後の動作設定（図２のボタン群２０２の設定）を確認する。「初期値に戻す」が設定されている場合、ステップ４１５へ進み初期値に戻し処理を終了する。「設置保持」が設定されている場合、設定を保持したままステップ４１６に進む。ユーザ操作がないまま一定時間が経過した場合、ステップ４１７へ進み初期化処理を実施し終了する。
【００２７】
ステップ４０２にて「都度確認」が選択されている場合、ステップ４１８へ進み非表示フラグがＯＮになっているかどうかを確認する。これは図２のチェックボックス３０１にチェックが入っている状態で、印刷終了画面３００が閉じられると非表示フラグがＯＮとなる。チェックが入っていない状態の場合は、ステップ４０３に進み印刷終了画面３００を表示し以後、ステップ４０４以降の処理を実行する。
【００２８】
ステップ４１８で非表示フラグがＯＮになっている場合、図３の画面がどちらの設定で閉じられたか判断する。これはステップ４０８またはステップ４１０で設定されている印刷終了後の動作設定を表している。「初期値に戻す」が設定されている場合は、ステップ４２０に進み初期値に戻す。「設定保持」が設定されている場合は、設定を保持したままステップ４２１に進む。ユーザ操作がないまま一定時間が経過した場合、ステップ４２２へ進み初期化処理を実施し終了する。
【００２９】
今回のフローとは非同期で、課金装置から返金処理が実行された場合も初期化処理を実施する。その処理について図９を用いて説明する。
【００３０】
課金処理装置１１０のＣＰＵ１１２にて返金ボタンが押下されたかどうか判断する（ステップ９０１）。返金ボタンが押下されたと判断した場合は、ステップ９０２に進み返金処理が可能かどうか判断する。印刷ジョブが実行中の場合、返金処理ができないためである。返金処理が可能であると判断した場合は、インターフェース１１１、コネクタ１０９、インターフェース１０７を経由し画像処理装置１００に対して初期化指示の実行依頼を行う。画像処理装置１００ではＣＰＵ１０１により初期化処理を実施する（ステップ９０３）。
【００３１】
初期設定のまま印刷ジョブを実行した場合、印刷終了画面３００を表示する必要がないため表示処理を行わない。
【００３２】
動作制御について図６のフロー図を用いて説明する。
【００３３】
まず、ＣＰＵ１０１にて印刷ジョブが終了したかどうか判断する（ステップ６０１）。印刷ジョブが終了した場合、ステップ６０２にて初期設定のままかどうかを判断する。初期設定のままだと判断された場合は、ステップ６０３にて設置を保持する。この際、表示モードがどのように設定されていても印刷終了画面３００は表示しない。
【００３４】
ステップ６０４にてユーザ操作がないまま一定時間が経過した場合、ステップ６０５へ進み初期化処理を実施し終了する。ステップ６０２にて初期設定のままではないと判断された場合は、図５のステップ５０２または、図４のステップ４０２の処理に進み、以後の処理を行う。
【００３５】
図３のチェックボックス３０１にチェックをいれた状態で、印刷終了画面３００を閉じてしまうと初期化処理が走るまでフラグがＯＦＦに戻らなくなってしまう。再度、印刷終了画面３００を表示する方法について説明する。
【００３６】
図７は操作パネル１０６に表示されるコピー設定画面の一例であり、チェックボックス７０１は印刷終了画面３００の表示状態を表している。これは非表示フラグと連動しており、ＯＮの場合はチェックが入っている状態になり、ＯＦＦの場合はチェックが解除されている状態となる。印刷が終了しても印刷終了画面３００が表示されない状態になっているが、チェックを外すと非表示フラグがＯＦＦに戻り印刷終了時に再び印刷終了画面３００が表示されるようになる。この設定は表示モードを「都度表示」にした場合のみ表示するようにしてもよいし、「表示」「非表示」であってもユーザがあとから変更できるようにしてもよい。
【００３７】
同じ設定でのコピーを使用する頻度が少ないユーザの場合、印刷終了画面設定２００にて印刷終了画面表示を「非表示」に、印刷終了時動作を「初期値に戻す」に事前設定するか、印刷終了画面３００にて「以後表示しない」チェックボックス３０１にチェックをし、「いいえ」ボタン３０３を押下すれば、都度印刷終了画面が表示されることはなくなる。逆に設定を常に残しておきたいユーザの場合は、印刷終了画面設定２００にて印刷終了画面表示を「非表示」に、印刷終了時動作を「設定保持」に事前設定するか、印刷終了画面３００にて「以後表示しない」チェックボックス３０１にチェックをし、「はい」ボタン３０２を押下すれば、都度印刷終了画面が表示されることはなくなる。
【００３８】
このように、ユーザの環境に応じて事前設定を行うことも可能であるし、都度確認にすることで現在ジョブを実行しているユーザが使用している間は、そのユーザのニーズに合わせた制御が可能となるので利便性の向上が見込まれる。
【００３９】
［実施例２］
原稿がフィーダーを使用することができない場合（本や特殊な用紙の場合）、圧板を用いて印刷を行う。本などの見開きの原稿をユーザが手動でめくりながら複数ページ読み取り、印字出力するケースが多い。そのため、設定を保持したまま使用したいというユースケースの方が多い。図５のフロー図を用いて圧板印刷時の動作について説明する。
【００４０】
まず、ＣＰＵ１０１にて印刷ジョブが終了したかどうか判断する（ステップ５０１）。印刷ジョブが終了した場合、ステップ５０２にて圧板印刷だったかどうかを判断する。圧板印刷だと判断された場合は、ステップ５０３にて設定を保持する。この際、表示モードがどのように設定されていても印刷終了画面は表示しない。
【００４１】
ステップ５０４にてユーザ操作がないまま一定時間が経過した場合、ステップ５０５へ進み初期化処理を実施し終了する。ステップ５０２にて圧板印刷でないと判断された場合は、図４のステップ４０２の処理に進み、以後の処理を行う。このことにより、圧板印刷の場合、表示モード設定にかかわらず設定は保持され、なおかつ印刷終了画面３００が表示されないため、ユーザはスムーズに次の印刷ジョブの投入が可能となる。
【００４２】
以上の実施例１又は２によれば、同じ設定でのコピーを使用する頻度が少ないユーザの場合、印刷終了画面設定２００にて印刷終了画面表示を「非表示」に、印刷終了時動作を「初期値に戻す」に事前設定するか、印刷終了画面３００にて「以後表示しない」チェックボックス３０１にチェックをし、「いいえ」ボタン３０３を押下すれば、都度印刷終了画面が表示されることはなくなる。
【００４３】
逆に設定を常に残しておきたいユーザの場合は、印刷終了画面設定２００にて印刷終了画面表示を「非表示」に、印刷終了時動作を「設定保持」に事前設定するか、印刷終了画面３００にて「以後表示しない」チェックボックス３０１にチェックをし、「はい」ボタン３０２を押下すれば、都度印刷終了画面が表示されることはなくなる。
【００４４】
このように、ユーザの環境に応じて事前設定を行うことも可能であるし、都度確認にすることで現在ジョブを実行しているユーザが使用している間は、そのユーザのニーズに合わせてた制御が可能となるので利便性の向上が見込まれる。
【００４５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４６】
１００  画像処理装置、１０２  メモリ、１０３  補助記憶装置、１１０  課金装置
【図１】
2017118211.tif 000003
【図２】
2017118211.tif 000004
【図３】
2017118211.tif 000005
【図４】
2017118211.tif 000006
【図５】
2017118211.tif 000007
【図６】
2017118211.tif 000008
【図７】
2017118211.tif 000009
【図８】
2017118211.tif 000010
【図９】
2017118211.tif 000011